(57)【要約】【課題】  従来の振動板固定装置では、止めネジ６が緩んでしまったり、又、カッター等の振動板１をホーン３の割り溝３ｂに固定する部分が１点のために、カッター等の振動板がずれるように振動し易く、移動し易いため、ランジュバン型振動子５の超音波振動がカッター等の振動板１に正常に伝わらないというという問題があった。【解決手段】  ランジュバン型振動子５のホーン３の先端３ａに切欠部３ｄを形成し、この切欠部３ｄの上に振動板１の端部１ａを載置し、この振動板１の上に押え板７を載置し、ホーン３の切欠部３ｄ、振動板１の端部１ｃの近傍及び押え板７に貫通孔をそれぞれ設け、この貫通孔に止めビス８を通し、止めビス８の端部にワッシヤ９及びナット１０を嵌合して締めることにより、ホーン３先端に振動板１を固定するように構成したものである。【選択図】図１
2006231299.tif 000002
【特許請求の範囲】
【請求項１】
圧電体振動子を後部金属ブロック及び先端が細く形成されたホーンによって挟持したランジュバン型振動子と、該ランジュバン型振動子のホーンの先端に設けた切欠部に載置された振動板と、該振動板の上に載置された押え板と、前記ホーンの切欠部、前記振動板及び前記押え板に形成された通し孔に挿入された止めビスと、該止めビスにネジ嵌合されるナットとからなり、前記振動板及び押え板を前記止めネジ及びナットで前記ホーンの先端に固定することを特徴とする振動板固定装置。
【請求項２】
圧電体振動子を後部金属ブロック及び先端が細く形成されたホーンによって挟持したランジュバン型振動子と、該ランジュバン型振動子のホーンの先端に設けた切欠部に載置された振動板と、該振動板の上に載置された押え板と、前記振動板及び前記押え板に形成された通し孔に挿入され、前記押え板に形成されたネジ切り孔にネジ嵌合された止めビスとからなり、前記振動板及び押え板を前記止めネジで前記ホーンの先端に固定することを特徴とする振動板固定装置。
【発明の詳細な説明】
【技術分野】
【０００１】
本発明は、カッター等の振動板をランジュバン型振動子に確実に固定することができる振動板固定装置に関するものである。
【背景技術】
【０００２】
従来、図２に示すように、カッター刃等の振動板１を圧電素子２をホーン３及び後部金属ブロック４で挟持して固定したランジュバン型振動子５に固定する場合、ホーン３の先端３ａに割り溝３ｂを形成し、この割り溝３ｂにカッター等の振動板１の端部１ａの一部を挿入し、ホーン３の割り溝３ｂの近傍に形成したネジ孔３ｃに止めネジ６を挿入して締め付け固定する方法がとられていた。
【０００３】
しかしながら、このように構成された従来の振動板固定装置では、ランジュバン型振動子５で発生した超音波が直接止めネジ６に伝わるために、止めネジ６が緩んでしまったり、又、カッター等の振動板１をホーン３の割り溝３ｂに固定する部分が１点のために、カッター等の振動板がずれるように振動し易く、移動し易いため、ランジュバン型振動子５の超音波振動がカッター等の振動板１に正常に伝わらないという問題がある。
【特許文献１】特開平７−１２４８９９号
【発明の開示】
【発明が解決しようとする課題】
【０００４】
解決しようとする問題点は、従来の振動板固定装置では、止めネジ６が緩んでしまったり、又、カッター等の振動板１をホーン３の割り溝３ｂに固定する部分が１点のために、カッター等の振動板がずれるように振動し易く、移動し易いため、ランジュバン型振動子５の超音波振動がカッター等の振動板１に正常に伝わらないというという問題があった。
【課題を解決するための手段】
【０００５】
本発明では、ランジュバン型振動子は圧電体振動子を後部金属ブロック及び先端が細く形成されたホーンによって挟持するように構成し、振動板はランジュバン型振動子のホーンの先端に設けた切欠部に載置され、押え板は振動板の上に載置され、止めビスがホーンの切欠部、振動板及び押え板に形成された通し孔に挿入され、ナットと止めビスにネジ嵌合され、振動板及び押え板を前記止めネジ及びナットで固定するものである。
【発明の効果】
【０００６】
本発明の振動板構成装置では、ホーンの先端に切欠部を構成し、この切欠部と押え板の間にカッター等の振動板を挟持し、押え板、カッター等の振動板及びホーンの切欠部に貫通孔を形成し、この貫通孔に止めビスを挿通して、止めビスの端部にワッシャを嵌合し、ナットを嵌合して締付ることにより、カッター等の振動板の端部をホーンの切欠部と押え板によって押え込むので、簡単に緩むことがないという利点がある。
【発明を実施するための最良の形態】
【０００７】
本発明では、カッター等の振動板をランジュバン型振動子に固定するために、ホーンの先端の切欠部と押え板を別に構成し、切欠部に設けた貫通孔に止めビスを通し、この止めビスを振動板の端部に設けた貫通孔を通し、さらに、押え板の貫通孔を通して、ワッシャ及びナットを止めビスによってネジ固定する構造とした。
【実施例】
【０００８】
図１は本発明の実施例の振動板固定装置の側面図で、１は振動板、２は圧電素子、３はホーン、４は後部金属ブロック、５はランジュバン型振動子で、これらの構成は上記従来例と同じであるので、説明は省略するが、本実施例では、ランジュバン型振動子５のホーン３の先端３ａに切欠部３ｄを形成し、この切欠部３ｄの上に振動板１の端部１ａを載置し、この振動板１の上に押え板７を載置し、ホーン３の切欠部３ｄ、振動板１の端部１ｃの近傍及び押え板７に貫通孔をそれぞれ設け、この貫通孔に止めビス８を通し、止めビス８の端部にワッシヤ９及びナット１０を嵌合して締めることにより、ホーン３の先端に振動板１を固定するように構成したものである。
【０００９】
このように構成した本実施例の振動板固定装置では、ホーン３の先端に切欠部３ｄを構成し、この切欠部３ｄと押え板７の間にカッター等の振動板１を挟持し、押え板７、カッター等の振動板１及びホーン３の切欠部に貫通孔をそれぞれ形成し、この貫通孔に止めビス８を挿通して、止めビス８の端部にワッシャ９を嵌合し、ナット１０をネジ嵌合して締付ることにより、カッター等の振動板１の端部をホーン３に確実に固定することができ、ホーン３の切欠部３ｄと押え板７によってカッター等の振動板１を確実に固定するので、カッター等の振動板１がホーン３の先端３ａから簡単に緩んで外れることがないという利点がある。
【００１０】
図２は本発明の他の実施例の振動板固定装置の側面図で、１は振動板、２は圧電素子、３はホーン、４は後部金属ブロック、５はランジュバン型振動子、７は押え板、８は止めビスで、これらの構成は上記従来例と同じであるので、説明は省略するが、本実施例では、ランジュバン型振動子５のホーン３の先端３ａに切欠部３ｄを形成し、この切欠部３ｄの上に振動板１の端部１ａを載置し、この振動板１の上に押え板７を載置し、ホーン３の切欠部３ｄ及び振動板１の端部１ｃの近傍に貫通孔をそれぞれ設け、前記ホーンの先端の切欠部にネジ切り孔３ｅを形成し、ホーン３の切欠部３ｄ及び振動板１の端部１ｃの近傍の貫通孔に止めビス８を通し、止めビス８の端部をホーン３の切欠部３ｄに形成したネジ切り孔３ｅにネジ嵌合して締めることにより、ホーン３の先端に振動板１を固定するように構成したものである。
【００１１】
このように構成した本実施例の振動板固定装置では、ホーン３の先端に切欠部３ｄを構成し、この切欠部３ｄと押え板７の間にカッター等の振動板１を挟持し、押え板７及びカッター等の振動板１に貫通孔をそれぞれ形成して、この貫通孔に止めビス８を挿通し、ホーン３の先端の切欠部３ｄに形成したネジ切り孔３ｅに止めビス８の端部を嵌合して締付ることにより、カッター等の振動板１の端部をホーン３の先端に確実に固定することができ、ホーン３の切欠部３ｄと押え板７によってカッター等の振動板を確実に固定するので、カッター等の振動板１がホーン３の先端３ａから簡単に緩んで外れることがないという利点がある。
【産業上の利用可能性】
【００１２】
なお、上記実施例において、ランジュバン型振動子５のホーン３の先端に装着する振動板７は、カッター以外の厚さの薄い板状の物をを装着するようにしてもよいし、又、図３において、ナット１０と押え板７の間に介在されたワッシャ９はなくても良いし、さらに、図４において、止めビス８と押え板７の間にワッシャを介在させてもよい。
【図面の簡単な説明】
【００１３】
【図１】本発明の実施例の振動板固定装置の側面図である。
【図２】本発明の他の実施例の振動板固定装置の側面図である。
【図３】従来の振動板固定装置の側面図である。
【符号の説明】
【００１４】
１                カッター等の振動板
２                圧電素子
３                ホーン
４                後部ブロック
５                ランジュバン型振動子
７                押え板
８                止めビス
９                ワッシャ
１０              ナット
【図１】
2006231299.tif 000003
【図２】
2006231299.tif 000004
【図３】
2006231299.tif 000005